(57)【要約】【課題】  板状部材で媒体を挟持して装置内に取り込む媒体処理装置では、紙幣を立位状態にして出金等するので、顧客の視点によって接客口の陰に紙幣が隠れ、顧客が紙幣の取り忘れることがある。【解決手段】一方の板状部材側には突起部を設けて、媒体を挟持するときは、一方の板状部材が他方の板状部材に接近すると共に前記突起部が接触しつつ前記媒体を乗り越えるか、また、回動して退避した後、前記壁面部が媒体を押圧し、媒体を開放するときは、一方の板状部材が他方の板状部材から離間すると共に前記突起部が前記媒体の端部を押圧して前記媒体を傾斜させる。【選択図】    図１
2008165690.tif 000002
【特許請求の範囲】
【請求項１】
複数の板状部材により媒体を挟持して取り込む媒体処理装置において、一方の板状部材に媒体の端部を支持する底板と、前記媒体の面に接する壁面部と、前記底板上に配設された突起部とを設け、
前記一方の板状部材を他方の板状部材から離間させて前記媒体を開放するとき、前記突起部が前記媒体の端部を押圧して前記媒体を傾斜させることを特徴とする媒体処理装置。
【請求項２】
前記突起部は柔軟性を有し、媒体を挟持するとき、前記突起部は前記媒体の端部に接触すると共に、撓むことにより前記媒体の端部を乗り越えることを特徴とする請求項１記載の媒体処理装置。
【請求項３】
前記一方の板状部材は、前記底板を回動可能に軸止する回転軸を有し、媒体を挟持するとき、前記底板が回動して、前記突起部を前記媒体の端部に接触しないように退避させることを特徴とする請求項１記載の媒体処理装置。
【請求項４】
複数のローラにより前記媒体を前記装置内に取り込む媒体取込手段と、前記媒体を挟持した後、前記一方及び他方の板状部材と前記媒体が一体で所定の角度だけ回動させて、前記媒体取込手段に位置づける回動手段とを設けたことを特徴とする請求項２または３記載の媒体処理装置。
【請求項５】
前記突起部はブラシからなることを特徴とする請求項１乃至４記載のいずれか一項に記載の媒体処理装置。
【請求項６】
前記ブラシに傾斜面を設けたことを特徴とする請求項５記載の媒体処理装置。
【請求項７】
前記突起部は硬質素材からなることを特徴とする請求項１、３、４記載のいずれか一項に記載の媒体処理装置。
【発明の詳細な説明】
【技術分野】
【０００１】
本発明は、装置内に媒体を入出する媒体処理装置に関するものである。
【背景技術】
【０００２】
代表的な媒体処理装置である現金自動預入支払機においては、装置の前面に接客口が設けられており、顧客は該接客口から紙幣を入出金する。紙幣は接客口の内部に設けられた紙幣入出金機構によって装置内の搬送路に送られた後、鑑別部により紙幣の金種を判定して、金種別に収納庫に振り分けられて格納される。また収納庫に格納された紙幣を、顧客の要求する金額に応じて繰り出して搬送し、紙幣入出機構に集積した後、接客口を開いて顧客に対し出金する。
【０００３】
図５は、従来の紙幣入出機構１の構成を示した図である。顧客が紙幣Ａの入金を行う時は、接客口内で、板状の部材であるバックアップ２とホッパ３が立位状態になっており、両部材が所定の間隔を空けて集積空間を形成し顧客による入金を受け付ける。顧客は入金予定の紙幣Ａの束を立位状態で接客口及び前記集積空間に投入する。
【０００４】
投入された紙幣Ａの下端部はホッパ３の一部を形成するホッパ底部３ａに支持されると共に、紙幣Ａの束の平面部はホッパ３の壁面に寄り掛かるようにして集積される。その後、バックアップ２がホッパ３に対し、平行状態を維持しつつ接近移動して、ホッパ３と共に取り込んだ紙幣Ａを挟持する。続いてバックアップ２、ホッパ３と紙幣Ａとが一体となって回動範囲Ｒ内を図示しない回動軸及び駆動源により所定の角度だけ回動し、紙幣Ａの先端を搬送路への取込口に位置づけ、フィードローラ６を回転させて繰出ローラ４及びプレッシャローラ５間に紙幣を１枚ずつ送り出し搬送路に送出し装置内に収納する。
【０００５】
出金時には、バックアップ２とホッパ３を略立位状態から略直角または所定の角度分だけ回動させてその先端部分を繰出ローラ４、プレッシャローラ５、フィードローラからなる繰出口に向ける。その後、バックアップ２をホッパ３から退避する方向に移動させて２部材の間に集積空間を形成し、集積ローラ７の回転により紙幣Ａを出金予定の枚数分だけホッパ３上に集積する。その後、バックアップ２をホッパ３に近づけて、バックアップ２とホッパ３により紙幣Ａを挟持する。
【０００６】
紙幣Ａは２部材を一体となって回動して図５のように立位状態になり、バックアップ２をホッパ３から退避させる共にシャッタを開けて紙幣Ａを取り出し可能に開放して顧客に紙幣Ａを受け取らせる。
【特許文献１】特願２００６−０１６２３２号
【発明の開示】
【発明が解決しようとする課題】
【０００７】
従来の装置においては、接客口の内部で紙幣を立位状態で集積して返却するようにしているので、顧客の身長や立ち位置によって紙幣が接客口の縁の影に隠れて見難くなり、顧客が接客口内に紙幣が残存していることに気づかずに紙幣を取り忘れることがある。特に、紙幣Ａの腰が弱くなっていると、立位状態を維持しにくく、このような紙幣Ａは接客口内で撓んで屈曲し、その存在を一層見落としやすく、取り忘れになる傾向が高かった。
【課題を解決するための手段】
【０００８】
上記課題を解決するために、複数の板状部材で媒体を挟持して装置内に取り込む媒体処理装置に、一方の板状部材側には突起部を設けて、一方の板状部材を他方の板状部材から離間させて媒体を挟持から開放するとき、一方の板状部材に追従して前記突起部が移動し媒体の端部を押圧し、媒体を傾斜させるようにした。
【発明の効果】
【０００９】
本発明により、紙幣を傾斜させて返却するようにしているので、顧客の身長の違いによる目線の位置や立ち位置によらず、紙幣が接客口の縁により見え難くなることがなくなり、顧客が紙幣の取り忘れることを防ぐことができる。
【発明を実施するための最良の形態】
【００１０】
以下に本発明の最良の実施の形態である実施例１及び２について順に説明する。なお、以下の説明及び図面に記載された同一の符号は、同一の構成要素を示すものとして説明する。
【実施例１】
【００１１】
本発明の実施例１について説明する。本実施例は、複数の板状部材で媒体を挟持して装置内に取り込む媒体処理装置であって、一方の板状部材の側に突起部を設けて、一方の板状部材が他方の板状部材に接近すると共に前記突起部が前記媒体を乗り越えた後、前記一方の板状部材の壁面部が媒体を押圧して前記媒体を挟持し、媒体を開放する時は、一方の板状部材が他方の板状部材から離間すると共に前記突起部が前記媒体の端部を押圧して前記媒体を傾斜させるようにしたものである。
【００１２】
次に実施例１の構成について説明する。図１は実施例１の紙幣入出機構の構成を示したものである。１は紙幣入出金機構の全体であり、２は第１の板状部材としてのバックアップである。バックアップ２は一方の端部に略直角に取り付けられたバックアップ底部２ａを有している。バックアップ２とバックアップ底部２ａは一体に整形されていてもよいし、また別々の部品として加工して、固定的に取り付けるようにしてもよい。２ｂはバックアップ底部２ａ上に略垂直かつバックアップ２に対し略平行に設けられた突起部である。
【００１３】
突起部２ｂはブラシから構成されている。突起部２ｂの繊維の根元はバックアップ底部２ａに図示しない接着剤や部品により固定されている。また、突起部２ｂのブラシの後述するホッパ３に対面する部分には傾斜して切り揃えられた傾斜面２ｃが設けられている。
【００１４】
３は第２の板状部材であるところのホッパである。ホッパ３は一方の端部に略直角に設けられたホッパ底部３ａを有している。ホッパ３とホッパ底部３ａ、は一体に整形されていてもよいし、また別々の部品として加工して、固定的に取り付けるようにしてもよい。バックアップ２とホッパ３は互いに平行になるように位置づけられると共に、バックアップ底部２ａとホッパ底部３ａが互いにほぼ重なり合って接客口内に設けられている。
【００１５】
バックアップ２、バックアップ底部２ａ、突起部２ｂ、ホッパ３、ホッパ底部３ａは一体となって、図示しない回動軸及び駆動源により回動範囲Ｒ内を回転可能になっている。また、図示しない駆動源の動作により、バックアップ２はホッパ３に対しては平行移動するように構成されており、バックアップ２とホッパ３の間隔を調整できるようになっている。上記の回転動作及び間隔の調整の動作は図示しない制御部により制御される。
【００１６】
Ａは接客口を介して、バックアップ２とホッパ３の間に投入された紙幣である。４は、外周上に複数の溝が形成された形状をしており、入金時にホッパ３上に積まれた紙幣Ａを一枚ずつ装置内に繰出すローラである。５は、４の繰出しローラと入れ子状に外周に溝が形成されており、紙幣の繰出し方向には動かず、反対方向には回動可能であり、繰出しローラ４との間で紙幣Ａを一枚ずつ分離するゲートローラである。６はホッパ上に集積されている紙幣を繰出しローラ５に送り込むフィードローラである。７は出金時に装置内部を搬送されてきた紙幣を一枚ずつホッパ３上に放出して集積する集積ローラである。８は集積ローラ７と対向して紙幣を回動部４内に送出するプレッシャローラである。Ｓはシャッタの直下に設けられた一対の発光素子と受光素子からなる媒体検出センサである。媒体検出センサＳの間は一点鎖線で示した光軸が通っており、バックアップ２及びホッパ３の間の集積空間から上方へ突出した異常紙幣がこれを遮ることにより当該異常紙幣の存在を検出する。立位状態のホッパ底部３ａから媒体検出センサＳの高さは、紙幣Ａの短手方向の長さと突起部２ｂの高さの和より長く設定されている。
【００１７】
（動作）
実施例１の動作について説明する。図２は本実施例における紙幣入出金機構の動作を示した図である。出金時には、バックアップ２とホッパ３を共に横状態になるように立位状態から略直角または所定の角度だけ回動させる。その後、図２（ａ）のように、バックアップ２を上昇させてホッパ３との間に集積空間を形成し紙幣を受け入れ可能な状態にする。続いて、集積ローラ７を回転させて装置内を搬送されてきた紙幣Ａを一枚ずつホッパ３上へ放出し集積する。顧客が所望した分の紙幣の集積が完了するとバックアップ２を下降させて紙幣Ａを押圧しつつ、ホッパ３と共に挟持する。
【００１８】
その際、突起部２ｂはバックアップ２の面より、一定間隔を有してバックアップ底部２ａの先端付近に設けられており、突起部を構成するブラシは、集積空間に突出するように配設されているので、バックアップ２をホッパ３へ接近させると、バックアップ２の壁部に先立って、突起部２ｂの傾斜面２ｃが紙幣Ａの下端部に接触する。このときブラシは適度な柔軟性を有しているので紙幣に当接することにより屈曲しつつ、紙幣Ａの下端部が傾斜面２ｃに沿って持ち上がり、図２（ｂ）のように突起部２ｂが紙幣Ａの束が一方の端部を乗り越えて紙幣Ａとホッパ３の間に入り込む。そして、この状態でバックアップ２は更に下降し、ホッパ３と共に紙幣Ａを完全に挟持する。
【００１９】
続いて図２（ｃ）のようにバックアップ２とホッパ３を紙幣Ａと共に紙幣入出金機の前方に回転させて立位状態にした後、図２（ｄ）バックアップ２をホッパ３から退避する方向に移動して挟持している紙幣Ａを開放する。紙幣の下端部はバックアップ２の移動と共に移動する突起部２ｂにより押圧されてこれに追従移動するが、紙幣Ａの上端部は自重により、ホッパ３の壁面に掛止されて紙幣Ａが接客口に対し傾斜する。これにより、接客口を介して顧客が紙幣の存在を視認し易くなる。その後、シャッタを開き、顧客が紙幣Ａを受け取れる状態にして動作を完了する。
【００２０】
入金時の処理は、出金の処理を逆の手順で行う。図１に示したように接客口内でバックアップ２とホッパ３が立位状態で、かつ両部材が所定の間隔を空けて集積空間を形成し入金に対して待機し、顧客は紙幣Ａの束を立位状態で投入する。その後、バックアップ２がホッパ３に対し移動すると、紙幣の下端が突起部２ｂの傾斜面２ｃに当接し、これに沿って押し上げられると共に、突起部２ｂが屈曲して紙幣Ａの下端を下方から乗り越えて、紙幣Ａとホッパ３の間に入り込む。なお、既に述べたように立位状態のホッパ底部３ａから媒体検出センサＳの高さは、紙幣Ａの短手方向の長さと突起部２ｂの高さの和より長く設定されているので、紙幣Ａが突起部２ｂに接している一連の動作の間に、紙幣Ａの上端部が誤って紙幣集積空間外に突出しそうになっても媒体検出センサＳにより誤検出されることはない。バックアップ２は更に移動して紙幣Ａをホッパ３に押圧して図２（ｃ）のように紙幣Ａを挟持する。
【００２１】
続いてバックアップ２、ホッパ３と紙幣Ａとが一体となって所定の角度だけ回動し、図２（ｂ）のように紙幣Ａの先端を取込口に位置づけた後、フィードローラ６を回転させて繰出ローラ４及びゲートローラ５間に紙幣を１枚ずつ送り出し搬送路に送出する。紙幣Ａは装置内に送られた後、鑑別部により紙幣の金種を判定して、金種別に収納庫に振り分けられて格納される。
【００２２】
以上、実施例１においては、ブラシ上の突起部２ｂをバックアップ２ａに固定するものとして説明したが、ブラシの根元に軸を有する部品を設けて回動可能にし、紙幣Ａとの接触によって押されることで、ブラシが紙幣Ａから逃げて、バックアップ２側に倒れるように構成してもよい。このとき、倒れた突起部２ｂを、ばね部材等により付勢して、基の姿勢に戻し突起部２ｂが紙幣Ａとホッパ３の間に入り込むようにしてもよい。
【実施例２】
【００２３】
本発明の実施例２は、バックアップ２とバックアップ底部２ａとを回転軸により連結し、バックアップ２に対してバックアップ底部２ａを回動可能して、バックアップ２が紙幣を押圧するときは、バックアップ底部２ａ及び突起部２ｄが回動して紙幣Ａに接触しない位置に退避するようしたものである。
【００２４】
実施例２の構成について説明する。図３は実施例２の紙幣入出金機構１を示したものであり、第１の板状部材であるバックアップ２と、第２の板状部材であるホッパ３からなる。バックアップ２はバックアップ底部２ａを有し、２ｄはバックアップ底部２ａ上に垂直かつバックアップ２に対し略平行に設けられた突起部である。突起部２ｄは金属やプラスチック等の硬質の材料から成るバックアップ底部２ａに固定された部材である。２ｅはバックアップ２にバックアップ底部２ｂを回動可能に軸止する軸である。ホッパ３、ホッパ底部３ａ、各種ローラ４〜８については、実施例１の同様の構成である。
【００２５】
実施例２の動作を説明する。図４は実施例２の紙幣入出金機構１の動作を示した図である。出金時には、バックアップ２とホッパ３を共に横状態になるよう図示しない駆動源により回動させ、図４（ａ）のようにバックアップ２を上昇させてホッパ３との間に集積空間を形成し紙幣Ａを受け入れ可能な状態にする。続いて、集積ローラ７を回転させ紙幣Ａを一枚ずつホッパ３上へ集積する。
【００２６】
紙幣Ａの集積が全て完了するとバックアップ２を図４（ｂ）のように下降させて紙幣Ａを押圧する。このとき、バックアップ２が下降すると共にバックアップ底部２ａが軸２ｅを中心に回動する。突起部２ｄもこれと共に退避し、紙幣Ａの下端に接触しない位置に移動する。この動作によって、突起部２ｄが紙幣Ａに接触することがなくなり、紙幣Ａを痛めることがなくなる。その後、制御部の指示により、バックアップ底部２ａを逆方向に回動させ、基の位置に戻すと、突起部２ｄは紙幣Ａとホッパ３の間に入り込む。この状態でバックアップ２は更に下降し、ホッパ３と共に紙幣を完全に挟持する。
【００２７】
続いて図４（ｃ）のようにバックアップ２とホッパ３を紙幣Ａと共に装置前方に回転させて立位状態にした後、図４（ｄ）のようにバックアップ２をホッパ３から退避する方向に移動して挟持している紙幣Ａを開放する。紙幣Ａの下端部はバックアップ２の移動と共に移動する突起部２ｂに追従して移動する。これに対し、紙幣Ａの上端部は自重によりホッパ３の上部壁面に掛止されて移動しないので、紙幣Ａは全体として接客口に対し傾斜した状態となる。
【００２８】
バックアップ２が移動を停止して、シャッタを開き、顧客が紙幣Ａを受け取れる状態にするが、このとき、紙幣Ａは接客口に対し傾斜した姿勢を維持しているので、接客口から内部の紙幣Ａを視認しやすくなる。顧客が接客口から紙幣Ａを受取り、シャッタが閉じると出金処理が完了する。
【００２９】
入金時の処理は出金の動作を逆で行うことで可能となる。図３のように接客口内でバックアップ２とホッパ３が立位状態で、かつ両部材が所定の間隔を空けて集積空間を形成し入金に対して待機する。顧客は紙幣Ａの束を立位状態で投入する。その後、バックアップ２がホッパ３に対し移動すると、これに連動して、図示しない駆動源によりバックアップ底部２ａ及び突起部２ｄが回動して紙幣の下端から退避した後、逆方向に回動して紙幣Ａとホッパ３の間に入り込む。
【００３０】
バックアップ２は更に移動して紙幣Ａをホッパ３に押圧して図４（ｃ）のように紙幣Ａを挟持する。続いてバックアップ２、ホッパ３と紙幣Ａとが一体となって所定の角度だけ回動し、図４（ｂ）のように紙幣Ａの先端を取込口に位置づけた後、フィードローラ６を回転させて繰出ローラ４及びゲートローラ５間に紙幣を１枚ずつ送り出し搬送路に送出する。紙幣Ａは装置内に送られた後、鑑別部により紙幣の金種を判定して、金種別に収納庫に振り分けられて格納される。
【００３１】
以上、実施例２においては、バックアップ２とバックアップ底部２ａとを回転軸により連結するものとして説明したが、バックアップ２とバックアップ底部２ａとを固定し、バックアップ底部２ａと突起部２ｄとの間に回動軸を設けるようにして突起部２ｄのみが回動して紙幣Ａの下端部の下方に退避するようにして、突起部２ｄを、基の姿勢に戻し突起部２ｄが紙幣Ａとホッパ３の間に入り込むようにしてもよい。
【図面の簡単な説明】
【００３２】
【図１】本発明の実施例１の紙幣入出機構の構成図
【図２】本発明の実施例１の動作を示す図
【図３】本発明の実施例２の紙幣入出機構の構成図
【図４】本発明の実施例２の動作を示す図
【図５】従来の紙幣入出機構の構成図
【符号の説明】
【００３３】
１    紙幣入出金機構
２    バックアップ
２ａ  バックアップ底部
２ｂ  突起部
２ｃ  傾斜部
２ｄ  突起部
２ｅ  軸
３    ホッパ
３ａ  ホッパ底部
４    繰出しローラ
５    ゲートローラ
６    フィードローラ
７    集積ローラ
８    プレッシャローラ
Ａ    紙幣
【図１】
2008165690.tif 000003
【図２】
2008165690.tif 000004
【図３】
2008165690.tif 000005
【図４】
2008165690.tif 000006
【図５】
2008165690.tif 000007